Podtech/llm-jp-corpus-v4-ja_patent huggingface dataset:
(57)【要約】【目的】一般家庭用上水道等の低水圧を利用し、増圧装置等を使用せず、冷水から高温水まで使える歯車式低水圧回転機構【構成】ケーシング１の中で、歯車Ａ（６）と歯車Ｂ（７）とが噛合い、外部から上水道等の低加圧水や温水等を増圧装置等を使用せず、そのままの水道圧水を注入し、歯車を回転させ、その回転軸に取り付けられたブラシ等の清掃具を回し、同時に水や温水を注出し、回転数や回転力を目的に合わせて調整し、水洗清掃等の作業をするものである。【選択図】  図１
2011156003.tif 000002
【特許請求の範囲】
【請求項１】
家庭用上水道等の低水圧源を利用し、増圧装置等を使用せず、冷水・常温水・高温水まで広範囲に使用出来る、高回転力を発生させる歯車式低水圧回転機構
【請求項２】
低圧でも高回転力を得る為、噛み合っている歯と歯の隙間や、各部の摺動面の隙間を極小にして圧力の逃げを小さくした、請求項１の歯車式低水圧回転機構
【請求項３】
軸受部は、水圧により摩擦抵抗が発生して回転しなくなる為、球軸受や、ローラー軸受等の摩擦抵抗の小さい転がり軸受を使った請求項１の歯車式低水圧回転機構
【請求項４】
軸の片側を外部へ出してブラシや他の清掃具を取付けて回転させ清掃機とした請求項１の歯車式低水圧回転機構
【請求項５】
回転軸Ａ、Ｂ２個にそれぞれブラシを取付けることにより、本体の反作用回転力を打ち消すことが出来、作業面積が増し、片手持ちでも操作性が良く、安定性が得られるようにした請求項１の歯車式低水圧回転機構
【請求項６】
ブラシに水や温水を注入して水洗回転ブラシ清掃機とした請求項３、４の歯車式低水圧回転機構
【請求項７】
注入量を調整弁（１９）にて流量を調整して、簡単に回転力と回転速度をコントロール可能にした請求項１の歯車式低水圧回転機構
【発明の詳細な説明】
【技術分野】
【０００１】
一般家庭用上水道を利用し、増圧装置等を使用せず、冷水・常温水から高温水まで対応出来る歯車式低水圧回転機構である。
【背景技術】
【０００２】
一般的清掃機は電動モーターを利用したものに限られている。
【発明の概要】
【発明が解決しようとする課題】
【０００３】
電気を使用した場合、漏電等の電気的危険性が問題であり、老人・女性、又、身体障害者等は特に注意が必要である。
【０００４】
力が過大な場合、物理的危険性が問題であり、老人・女性、又、身体障害者等は特に注意が必要である。
【課題を解決するための手段】
【０００５】
一般家庭用上水道を使って、増圧装置等を使用せず、ケーシングの中に納めた２個の歯車に冷水・常温水・高温水の水道圧を加えて、歯車を回転させ、それに取り付けられたブラシ等の掃除具を回し、それに同時に排水を振り掛けて、回転水洗機とする。
【発明の効果】
【０００６】
小型軽量な高トルク発生装置であり、動作、停止、回転力、回転速度等を容易にコントロールできるものである。
【０００７】
家庭用上水道を使用している為、漏電等の電気的危険性がない。
【０００８】
家庭用上水道等の低水圧動力源を使用している為、過大な力も出ないので、安全性に優れている。
【０００９】
家庭に有る動力源（上水道）を利用する為、簡単に動力源を得ることが出来る。
【００１０】
小型軽量にすることが出来る為、操作が簡単で、老人・女性、又は身体障害者一人でも利用可能になる。
【００１１】
家庭用上水道があれば増圧装置等がなくても、屋内でも屋外でも場所を問わず利用でき、持ち運びが容易である。
【００１２】
当装置を目的部に当てるだけで、後は水や温水を通せばブラシが回転し、同時に排水をブラシに当てると簡単に水洗が出来る。
【００１３】
取り付け、取り外しは市販のワンタッチ継手等の部品を使えば簡単にできる。
【００１４】
実験にて、外径０．０６８ｍ、幅０．０２８ｍのギヤにおいて、トルク２Ｎ・ｍを得ることが出来た。水洗回転ブラシとしては安全且つ十分である。
【００１５】
目的に合わせて、扱い勝手の良い型に変化していけば、色々な用途に利用できる。（例  体洗い  洗車  デッキブラシ  床、壁、窓清掃  体マッサージ  等）
【図面の簡単な説明】
【００１６】
【図１】横断面図
【図２】縦断面図１
【図３】縦断面図２
【発明を実施するための形態】
【００１７】
図１においては、二個の歯車Ａ（６）、歯車Ｂ（７）が、ケーシングの中で互いに噛み合った状態で回転出来るようになっている。
【００１８】
ＡＢ両歯車には長いＡ軸（８）、Ｂ軸（９）が取り付けられ外部へ出ていて、軸の端部にはブラシ等の清掃用具が取り付けられている。
【００１９】
上水道水が加圧注入口より注入されると、受圧室の圧力が増し、両歯車ＡＢは矢印の方向へ回転する。
【００２０】
注入された水や温水は、歯車の回転により反対側の排水室へ移動する。
【００２１】
排水室から外へ、特にブラシ側へ排水するようにしておくと水洗浄となり有利である。
【００２２】
ブラシは一個でも良いが、二個つけると、本体を回そうとする力（反作用力）が無くなり片手でのコントロールが容易になる、又、洗浄面積が広くなる。
【００２３】
回転速度と回転力は注水量を加減して容易に調節出来る。
【符号の説明】
【００２４】
６  Ａ歯車
７  Ｂ歯車
８  Ａ軸
９  Ｂ軸
１４  Ａブラシ
１５  Ｂブラシ
１９  調整弁
【図１】
2011156003.tif 000003
【図２】
2011156003.tif 000004
【図３】
2011156003.tif 000005
(57)【要約】【課題】一般的な罫線入り横書き大学ノートでは罫線にそって書くだけでは後で見た場合、見やすく並んだ文章、正確な図形やグラフなどを書くことは困難であった。無地のノートにおいても同様であった。【解決の手段】ノートの罫線と垂直に交わる方向にノートを執る際、使用する下敷に罫線を施す事でノートの紙面が碁盤目状となり、縦横が秩序整然と書きやすくなる。無地のノートに対しては碁盤目状の罫線入り下敷を提供する。【選択図】図１
2011156850.tif 000002
【特許請求の範囲】
【請求項１】
表面の略全面に複数の第一罫線が入った事を特徴とする文具用罫線入り下敷。
【請求項２】
第一罫線と垂直に交わる方向に複数の第二罫線を加え、碁盤目状の罫線が入った請求項１の罫線入り下敷。
【発明の詳細な説明】
【技術分野】
【０００１】  本発明は、あらゆる目的に用いる罫線入りノート及び無地のノートに見やすく整然と記帳する行為を補助する目的を兼ねた筆記用ノート下敷に関するものである。
【背景技術】
【０００２】  従来、縦横共に整然と見やすく記帳しやすい筆記用ノートとして、横並びの文字間の間隔を縦と同じく横も均一にする事を促す為、全ての横線をとぎれ線で施した〈罫線の途切れめで目盛を表した線引きノート〉が知られている。（実用新案文献１参照）
又、同じ目的で全ての横線上にドット（点）を入れたノートが知られている。（意匠文献１参照）
その他、無地のノートに関しては縦横共に整然と記帳する目的で工夫された物は見つける事は出来なかった。
【実用新案文献】
登録実用新案第３０２２１８８号
【意匠文献１】
意匠登録第１３５５６８５号
【発明の概要】
【発明の解決しようとする課題】
【０００３】  ノートに文章や図形を記録する場合、見やすく読みやすく書く為、一般的に縦横が秩序整然と並んでいた方が望ましい。
何故ならばノートを執る場合、ただ書くだけでなく後で反復して読み返したり何度も見て確認する目的で記録している事が多く、特に学習用ノートはその色合いが濃い。
その意味合いから、まるで教科書や参考書を見る様な文章の並び、正しく美しく描かれた図形や正確なグラフなどが理想ではあるが、現状で市販され多く使われているノート（一般的によく使われている見開き型罫線入り横書き大学ノート・以後、同型ノートを使用する場合を中心に取り上げて説明をする）では横の罫線しか施されておらず文章を書き終わると縦の並びが不揃いとなりがちである。
それを補う意味で考案された〈罫線の途切れめで目盛をあらわした線引きノート〉や〈ドット入りノート〉などが有りますが、それぞれに問題点がある。
途切れた線が筆記者の書いた文字の一部として誤って認識されたり、一方ドット入りノートでは文章中の句読点や英文を書く際のピリオド、メールアドレスのドット等と区別がつかないことが考えられ全てを解決しているとは言えない。
しかし、だからと言って碁盤目状のノートに書けば見る際に縦線が邪魔となって読み難い。
そして、更にこれらのノートは、一般的な大学ノートに比べ価格が割高である事が現状であると同時にある程度の専門店に行かなければ販売されていない場合もあり入手し辛さも課題として否定出来ない。
本発明は以上の様な問題点を解決する為になされたものである。
【課題を解決する為の手段】
【０００４】  ノートを執る際に使用する下敷を使用している状態においてノートの罫線と垂直に交わる方向に複数の罫線（以後、これを第一罫線と呼ぶ）の入った罫線入り下敷にする。
又、全く罫線の入っていない無地のノートに対しては第一罫線に対し直角方向にも罫線（以後、これを第二罫線と呼ぶ）を加え碁盤目状の罫線の入った罫線入り下敷にする。
【発明の効果】
【０００５】  本発明を罫線入りノートの下敷きとして使用するだけで本発明に施された第一罫線が筆記しようとする紙面から透けて見える為、ノート側の罫線と合わさり筆記者から見ると碁盤目状となり、その一つ一つの升目に文字を書き込む形で文章が書け、表やグラフ、座標や図形なども升目状である為描きやすく大きな助けとなる。
しかもこの様にして書かれたノートを見直し読む場合には通常下敷きは外す為、筆記時には透けて見えていた下敷きの第一罫線が無くなりシンプルな状態で読みやすく見やすい。
さらに無地のノートにおいては、ノートの罫線が元々全く無い為、碁盤目状の罫線入り下敷きを外せば、より見やすく、まさに教科書や参考書に近い活用の仕方が可能となっている。
先行技術では専らノート用紙の工夫で解決しようとしてした課題を下敷きにその能力と役割を持たせた事で問題点を一気に解決している。
しかも本発明を使用する事で一般的によく売られていて入手し易い普通の大学ノートを使用して目的を達成出来るという効果も得ている。
【図面の簡単な説明】
【０００６】
【図１】本発明の罫線入り（一方向のみ）下敷の斜視図である。
【図２】本発明の罫線入り（一方向のみ）下敷の使用状態を示した説明図である。
【図３】本発明の罫線入り（碁盤目状）下敷の斜視図である。
【図４】本発明の罫線入り（碁盤目状）下敷の使用状態を示した説明図である。
【発明を実施する為の最良の形態】
【０００７】  以下、本発明の実施の形態を説明する。
第一罫線入り下敷（１）〈形状は一般的な物と何ら変わらずサイズは使用とするノートに対応した大きさ。下地の色は白か透明あるいは薄い色が望ましい〉に第一罫線（２）がノートの罫線と垂直に交わる方向にノートのページ全体が碁盤目となる様に施されている。罫線の間隔（３）は升目を正方形とする為、使用するノートの罫線の間隔と同じが望ましく通常６ｍｍか７ｍｍが多い。又、無地のノートに対しては、第一罫線（２）第二罫線（４）が共に入った碁盤目状の罫線入り下敷（５）を提供する。
本発明は以上の様な構成である。
本発明を使用する時には、普通の下敷を使用する要領で一般的な大学ノート（６）で筆記しようとするページを開きすぐ下に本発明を入れノートの結束部まで差し込み安定させた状態で敷き筆記を始める
原稿用紙に書く様に升目状の一升一升に書き込んで文章を書いていったり、方眼状になった紙面を生かして図形やグラフを容易に描く事が出来る。次に罫線入り（碁盤目状）下敷を使用する場合は一般的な無地の大学ノート（７）に同様に使用する。
【符号の説明】
【０００８】  １  罫線入り（一方向のみ）下敷
２  第一罫線
３  罫線の間隔
４  第二罫線
５  罫線入り（碁盤目状）下敷
６  一般的な大学ノート
７  一般的な無地の大学ノート
【図１】
2011156850.tif 000003
【図２】
2011156850.tif 000004
【図３】
2011156850.tif 000005
【図４】
2011156850.tif 000006
(57)【要約】【課題】プリンター、ファックス機に使用されるミシン目入り印刷用紙はミシン目が見えにくく、方向性のある印刷用紙においては、用紙の補充時に誤った方向で補充してしまうことが頻発し、無駄に印刷してしまうことが多かった。【解決手段】印刷用紙の角を天地または左右非対称となるように切り落とし用紙方向の視認性を向上させ、誤った方向での補充による無駄を減少させる。または、四辺のうち任意の辺に天地または左右非対称となるように切り欠きをもうけ用紙方向の視認性を向上させ、誤った方向での補充による無駄を減少させる。【選択図】図１
2011156849.tif 000002
【特許請求の範囲】
【請求項１】
ミシン目入り印刷用紙の角を切り落とし天地または左右を非対称とすることを特徴とするミシン目入り印刷用紙
【請求項２】
ミシン目入り印刷用紙の四辺のうち任意の辺に天地または左右非対称となるように切り欠きをもうけることを特徴とする請求項１記載のミシン目入り印刷用紙
【発明の詳細な説明】
【技術分野】
【０００１】  この発明は、ミシン目入り印刷用紙の形状に関する。
【背景技術】
【０００２】  従来のミシン目入り印刷用紙は、長方形であった。
【発明の概要】
【発明が解決しようとする課題】
【０００３】  しかしながら、以上の技術によれば、方向性が必要なミシン目入り印刷用紙は、その方向性を視認することが困難であり、プリンター・ファックス機などで使用した場合、意図しない誤った方向へ印刷されてしまい、無駄になることが多かった。  そこで、この発明は、方向性が視認しやすいミシン目入り印刷用紙を提供すること
を課題とする。
【課題を解決するための手段】
【０００４】  以上の課題を解決するために、第一発明は、ミシン目入り印刷用紙の角を天地または左右非対称となるように切り落としたことを特徴とするミシン目入り印刷用紙である。
また、第二発明は、四辺のうち任意の辺に天地または左右非対称となるように切り欠きをもうけることを特徴とするミシン目入り印刷用紙である。
【発明の効果】
【０００５】  第一発明、または第二発明によれば、ミシン目入り印刷用紙に、天地または左右非対称となるような形状を形成することにより、印刷用紙上に形成されたミシン目の方向性を、ミシン目を凝視し確認することなく、印刷用紙の外観で簡単に視認することができる。このため、プリンター・ファックス機の用紙補充の際、誤った方向への挿入を防止し、意図しない誤った方向への印刷を減らすことができ、時間的、経済的損失さらに環境負荷を軽減できる。
【図面の簡単な説明】
【０００６】
【図１】この発明の一実施形態を示す平面図である。
【図２】この発明の一実施形態を示す平面図である。
【図３】従来技術を示す平面図である。
【発明を実施するための形態】
【０００７】  この発明の一実施形態を、図１に示す。
印刷用紙１は上質紙または粘着紙であり、印刷用紙１には切り離し用のミシン目２が形成されている。印刷用紙１の角３を切り落としている。
【０００８】  この実施形態によれば、角３を切り落としたことにより印刷用紙１は天地非対称となり用紙方向の視認性が向上した。
図１の実施形態では、角３を切り落としたものだったが、他の実施形態では、図２に示すように切り欠き４でもよい。
【符号の説明】
【０００９】１  印刷用紙      ２  ミシン目      ３  角      ４  切り欠き
【図１】
2011156849.tif 000003
【図２】
2011156849.tif 000004
【図３】
2011156849.tif 000005
(57)【要約】      （修正有）【課題】着脱時に指や書類を傷つけないための装置を提供する。【解決手段】現存するまた将来作製されると思われるゼムクリップの形態すべてに適用させ、通常ゼムクリップと称されている先端部は針状であるため、安全を期するため両先端であろうが片側であろうが先端部にループ状の装置を付与する。【選択図】図１
2011156851.tif 000002
【特許請求の範囲】
【発明の詳細な説明】
【技術分野】
【０００１】本発明は着脱時に指や書類を傷つけないための装置を付与する事に関する。
【背景技術】
【０００２】従来の通常ゼムクリップと称されているクリップの歴史について
最も広く使われている細長い長円形のクリップは特許が取得されておらず、誰が発明者かはっきりしていないが、イギリスで１８９０年ごろにゼム・マニュファクチュアリング・カンパニー（Ｔｈｅ  Ｇｅｍ  Ｍａｎｕｆａｃｔｕｒｉｎｇ  Ｃｏｍｐａｎｙ）が発明したと思われている。１８９９年にコネチカット州ウォーターバリー出身のウィリアム・ミドルブルックが、この形のクリップを作る機械の特許を取得している。この形のものは現在でもゼムクリップと呼ばれており、スウェーデン語では全ての文房具のクリップをゼム（ＧＥＭ）と呼んでいる。東ローマ帝国では真鍮製のクリップを使っていたため、この地の職人が発明した可能性が高い。しかし、１つずつ手作業で作られていたこともあり、あまりにも高価であったため、皇帝やわずかな貴族しか使用していなかった。ノルウェー人のヨハン・バーラー（Ｊｏｈａｎ  Ｖａａｌｅｒ）が、１８９９年と１９０１年に若干構造を変えたクリップの特許を取得したが、ゼムクリップのほうが機能性に優れていたため、広まらなかった。多くの本が誤ってバーラーを発明者としているが、これは間違いである。またノルウェー人が発明したわけでもない。しかし、バーラーが特許を取得するなど、ノルウェー人が関わっていたことが事実であるため、ゼムクリップは第二次世界大戦中、ドイツの占領下にあったノルウェーで抵抗運動のシンボルとして使われる事となった。イギリスに亡命したホーコン７世に対する忠誠とノルウェーの団結を示すため、ノルウェー人はゼムクリップを服につけて密かに抵抗運動のシンボルとしていた。戦後、オスロの郊外にバーラーの名誉をたたえて巨大なゼムクリップの彫刻が建立された。
【先行技術文献】
背景技術にも示した様にクリップは相当古くから存在し現在では過去におけるクリップの形態だけでなく動物を模ったクリップなど様々なクリップが存在し販売されている。
【非特許文献】
【０００７】
【非特許文献１】「Ｗｅｂｌｉｏ辞書＞辞書・百科事典＞ゼムクリップの解説」を参考にした。
【発明の概要】
通常ゼムクリップと称されている両先端に図に示す様にループ状の装置を付与する。
【発明が解決しようとする課題】通常ゼムクリップと称されている商品は僅かな外力がかかるだけで容易に曲がりやすく変形が起こると特にその先端部付近に変形が起こると使用時手指などに怪我をするまた当該書類や積み重ねた当該外の書類を傷める事が多い。特に重要書類の場合はその深刻度は大きい。
【課題を解決するための手段】通常ゼムクリップと称されている商品の両先端に図に示す様にループ状の装置を付与する事により課題を克服出来る。
【発明の効果】通常ゼムクリップと称されている商品の先端部に図に示す様にループ状の装置を付与する事で課題を克服しかつ既成の商品同等の効果を発揮する。
【図面の簡単な説明】通常ゼムクリップと称されている両先端に付与したループ部は外側部は外側に内側部は内側に存在する。このループはクリップ本体と一体化している。図面１参照。
またクリップ本体とループとの移行部はつまりなす湾曲角度等は対象物または用途により変更する。またループの直径は対象物または用途により変更する。
また非一体化の場合はやはり先端部に変形を来たすと従来のゼムグリップ同様手指等に怪我をし書類を傷つけてしまう。図面２参照。
【図１】は通常ゼムクリップと称されている両先端にループ状の装置を付与した平面図である。
【図２】は非一体化の装置付近の平面図である。
【図３】は側面図である。側面方向からはどの方向から見ても平坦でかつ丸味をおび直線状となる。
【発明を実施するための形態】
図面１に示す形態は単なるほんの一例でありループ状の形態を付与する事に意義がある。従って現存するまた将来作製されると考えられるどの様なゼムクリップの形態にも先端部のループ状の装置を付与する事に関してはすべて適用範囲とする。即ち一般性を失わない。
【実施例】従来の通常ゼムクリップと称されるクリップを自ら加工して使用しているが非常に有効である。
また動物型ゼムクリップなどは幼児や子供が使用する頻度が高いと思われるがこの先端部にもループ状の装置を付与する事により最小限に怪我を防ぐ事が出来る。
【図１】
2011156851.tif 000003
【図２】
2011156851.tif 000004
【図３】
2011156851.tif 000005
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
通常ゼムクリップ、動物型クリップなどと称されている現存するクリップ及び将来出現するであろうクリップの両先端部又は片側先端部に、そのクリップに適応し、直径等の大きさには自由性のあるループ状の装置を付与し、より安全な進歩性のあるクリップを提供する。
(57)【要約】      （修正有）【課題】テニス競技において、審判やスコア係りがいなくてもプレイヤー自身でスコアを簡単に記録でき、携帯することでプレー中でも試合の状況が一目でわかる携帯用の器具の提供。【解決手段】自分の得点であるゲームカウント0.15.30.40.A(注1)とセットカウント0.1.2.3.4.5.6.7、相手の得点であるゲームカウント0.15.30.40.A(注1)とセットカウント0.1.2.3.4.5.6.7を表示できる小型のカウント器を作成する。この器具をプレイヤーは腕や服に取り付けて使用する。(注1)Aとはアドバンテージの表示である。【選択図】図１
2011156182.tif 000002
【特許請求の範囲】
【請求項１】
テニスを行なう、または見る際のスコアカウント器である。カウント器には自分と相手の得点であるゲームカウントとセットカウントの４つの得点表示がありゲームカウントとセットカウントが同時に表示できることが重要である。表示にはダイヤル式と電磁式が考えられ、どちらも同じルールでカウントされるため、どちらで表現してもよい。
特許調査の結果、ただ数字を１からカウントする器具、テニスのゲームカウントを記録するリストバンドや振動止めはありましたが、本発明はテニス専用のカウント器であり、ゲームカウント、セットカウントの両方を操作・表示でき、携帯出来る器具としては唯一である。
【請求項２】
請求項１において、自分と相手のセットカウントを１つずつ表示できる１セットマッチ用の使用を想定しているが、セットカウントを３つずつ表示できるもの（３セットマッチ用）、５つずつ表示できるもの（５セットマッチ用）が作成可能である。これにより、プレイヤー自身で身に付けるという使用を超えてテニス観戦時や審判の手元カウント器としても実用に耐えるものとなり、プレー用以外にも観戦や審判等で使用できる器具となる。
【請求項３】
請求項１・請求項2において将来的に時計機能を内蔵し現在時間と経過時間が確認できる製品にも発展できる。
【発明の詳細な説明】
【技術分野】
【０００１】
本発明はテニスを行なう、または見る際の携帯用スコアカウント器である。
【背景技術】
【０００２】
テニスを行なう際、記憶によってスコアを覚えているとプレーに夢中になるなどして現在のスコアを忘れることが多々ある。審判やスコア係りがいない場合はプレイヤー同士で得点の確認を行なうためゲームが中断することも多い。
【先行技術文献】
【特許文献】
【０００３】
【特許文献１】特開２００４−３２９２５８号公報
【発明の概要】
【発明が解決しようとする課題】
【０００４】
テニスの際にプレイヤーが簡単にカウントを覚えられる小型の器具が必要だと考えた。
【課題を解決するための手段】
【０００５】
自分と相手のゲームカウントとセットカウントの４つを表示する器具を作成する。
【発明の効果】
【０００６】
本発明を使用することにより、自分と相手の得点が一目で分かり、プレーに支障なカウント違いや不安をなくすことが出来る。テニスの得点は単調であるため、１日何試合もこなす際は既視感(デジャヴ)にとらわれやすく、本発明の効果があると考えられる。
【図面の簡単な説明】
【０００７】
【図１】実施例の正面図
【図２】実施例の装着想像図
【図３】実施例のゲームカウント加算の様子
【図４】実施例のセットカウント加算の様子
【発明を実施するための形態】
【０００８】
プレイヤーは１得点ごとに得点側のゲームカウントを加える。得点は0,15,30,40と表示でき、4得点目を取ると１ゲームの勝利となり、得点側のセットカウントを1加える。40対40のデュースの際はA（アドバンテージ）の表示を使いゲームを続ける。そして通常６ゲーム取ると１セットの試合は終了する。タイブレークの際はセットカウントを0に戻し特別に使用する。タイブレークは7点目を取ると勝利であるが6対6の同点の際には2点差が開くまで試合が続くためダイヤルも7,8,9,0と２点差が開くまでループして使用する。
【０００９】
当発明は腕に取り付ける場合は本体にバンドを通し、腕に巻きつける。次に服に取り付ける場合は専用のクリップを使用し服の一部等に取り付ける。
【符号の説明】
【００１０】
１  ………スコアカウンター本体
２  ………ゲームダイヤル
３  ………セットダイヤル
４  ………ひも通し部
５  ………スコア表示窓
【図１】
2011156182.tif 000003
【図２】
2011156182.tif 000004
【図３】
2011156182.tif 000005
【図４】
2011156182.tif 000006
(57)【要約】【課題】  短時間に気泡直径がナノサイズの気泡を液中に長時間滞留することを可能とする気液混合装置を提供する。【解決手段】  加圧ポンプ１１から加圧供給された液体と気体を混合し気液混合液を生成する定量フィーダ１２とさらに旋回流を発生し気液混合する発生器１３を有する。【選択図】図１
2011156525.tif 000002
【特許請求の範囲】
【請求項１】
加圧ポンプから加圧供給された液体流に気体を供給し生成した気液混合液の混合比率を安定して移送するため円筒の中心部から供給し円筒槽壁面に沿って旋回流を発生する定量フィーダ（以後フィーダと言う）とさらに旋回流を発生する発生器を有することを特徴とする気液混合装置。
【請求項２】
該フィーダ及び該発生器は供給孔を中心軸として断面が円形状で、該フィーダおよび発生器の旋回方法は供給孔に垂直に固定した吐出管の両端吐出孔から気液混合液を吐出することを特徴とする請求項１記載の気液混合装置
【請求項３】
該発生器は円筒片端面の排出口から旋回流を排出することを特徴とする請求項１記載の気液混合装置
【請求項４】
２方向に旋回流を排出する発生器は円筒状部材の両端面に気液流体排出孔と円筒状部材の中心軸の中間部に直径方向から吐出孔を有する管を挿入し固定したことを特徴とする請求項１記載の気液混合装置
【発明の詳細な説明】
【技術分野】
【０００１】    本発明は、微細気泡を発生する装置に係り、気泡直径がナノサイズのナノバブルを液中に発生し長時間滞留することを可能とする気液混合装置に関するものである。
【背景技術】
【０００２】    近年、自然環境への関心が高まり、水質改善、浄化処理、殺菌・除菌を含む処理技術が様々な方法や装置の研究開発が行われている。【０００３】    従来から微小気泡に有効性のあることが知られており、微細気泡を発生する装置及びそのための技術や効果が研究され種々報告されている。【０００４】    しかしながら、従来の装置及び方法では、気液混合流の供給口を円筒形の外周面に対し接線方向に接続する方法、回転羽による気泡を拡散する方法、気液混合生成用円筒管内面の鏡面仕上げ加工を行う方法など装置の製作が困難、構造が複雑で加工方法に精度が要求される課題があった。
【発明の開示】
【発明が解決しようとする課題】
【０００５】    本発明の解決しようとする課題は、装置の製作が簡単で、短時間に気液混合ができるフィーダ、それを用いた発生器による気液混合装置を提供することである。【０００６】    また本発明は、ナノバブルの気泡を短時間に発生し液中に滞留することを可能とする気液混合装置を提供することである。
【課題を解決するための手段】
【０００７】    上記課題を解決するために、本発明の第１の発明では、旋回流が発生するフィーダの気液流体の供給口を円筒の軸方向の中心部に設けた加工法を提供するものである。【０００８】    さらにフィーダから吐出された気液混合液を発生器に供給し旋回流を発生し短時間に気液混合液を提供するものである。
【発明の効果】
【０００９】      本発明の気液混合装置は、気液混合液の混合比率を安定して移送するために円筒の中心部から供給し円筒槽壁面に沿って旋回流を発生するフィーダとさらに旋回流を発生する発生器を備え、ナノサイズの気泡を短時間で生成し長時間にわたり微細気泡を液中に滞留させることができる。また種々の気体を挿入することで、目的に適した微細気泡を生成することができ幅広い分野で利用でき効果が期待できる。
以下に例を挙げる。
１、自然環境浄化：湖、河川、池などの水質浄化と生息生物育成、
２、排水処理：浮遊物質の浮上処理、
３、農園業分野：殺菌・除菌処理
４、食品加工分野：殺菌、鮮度保持
５、工業分野：有害物質除去、排水の脱臭、脱色、殺菌、分離・混合処理
６、医療分野：殺菌、痛み止め、予防
７、健康：室内空気の殺菌、洗浄
【実施例】
【００１０】      図１は本発明の気液混合装置１の説明図である。
気液混合液を作るための循環ポンプ１１をベース液体タンク１６内のベース液２１をパイプ２０ｂを通して循環ポンプ１１に送り込む。その途中において気体保存容器１４からパイプ２０ｃを通して気体を挿入する。気体混合液中の気泡を微細化するためにフィーダ１２とさらに気泡を微細化し排出するための発生器１３を有している。発生器１３から気液混合排出口１７より排出される微細気泡は混合槽１５内の混合液２２中に放出される。
混合液２２のベースとなるベース液２１はパイプ２０ｂを通してベース液体タンク１６から移送し、気体保存容器１４から所定の比率でバルブ１８ｂを通して合流させる。この合流された気液混合液が循環ポンプ１１に送入され、そのポンプ１１から吐出される。
バルブ１８ａを開き混合液２２をパイプ２０ａを通してパイプ２０ｂのベース液２１と合流させ、さらにパイプ２０ｃから送入される気体保存容器１４を合流させて循環ポンプ１１に送り込み気液混合液を生成する。混合槽１５が充満すればバルブ１８ｃおよび１８ｂを閉じてパイプ（混合液）１９を通した循環だけにする。このパイプ１９によって接続されているフィーダ１２と発生器１３と気液混合排出口１７によって本発明の気液混合を構成している。
【産業上の利用可能性】
【００１１】    本発明は、工業、農業、畜産、食品、医療などにおける殺菌、除菌、脱臭、分離、浄化、予防において、広く利用できる。
【図面の簡単な説明】
【図１】本発明における気液混合装置の基本構成図である。
【図２】気液混合装置に用いるフィーダの内部説明図である。
【図３】気液混合装置に用いる発生器の内部説明図である。
【図４】気液混合装置に用いる２方向から旋回流を排出する発生器の内部説明図である。
【符号の説明】１１：循環ポンプ
１２：定量フィーダ
１３：発生器
１４：気体保存容器
１５：混合槽
１６：ベース液体タンク
１７：気液混合排出口
１８：バルブ
１９：パイプ（混合液）
２０：パイプ
２１：ベース液
２２：混合液
３１：加速円筒部
３２：供給口
３３：吐出管
３４：吐出口
３５：吐出孔
４１：分散円筒部
４２：供給口
４３：吐出管
４４：排出口
４５：吐出孔
５１：排出口
５２：分散円筒部
５３：吐出管
５４：吐出孔
【図１】
2011156525.tif 000003
【図２】
2011156525.tif 000004
【図３】
2011156525.tif 000005
【図４】
2011156525.tif 000006
(57)【要約】【課題】  本発明はガラス等に光触媒塗料や機能塗料を片手で容易に塗装することが出来る安価な塗装工具（ウレタン・スクイジー）とその工法に関する。【解決手段】  本発明は光触媒塗料や機能塗料を含浸させることが出来る発泡ウレタンをコ型に加工したアルミニウムバーとスクイジーで固定した塗装工具（ウレタン・スクイジー）と、これをガラスに押し当てて滲み出た塗料をガラス等に片手で容易に塗装する工法を提供しようとするものである。【選択図】図１
2011156513.tif 000002
【特許請求の範囲】
【請求項１】
断面形状がコ字型のバーに、多孔質高分子材料からなる柱状部材を装着してなる部材を有する塗装工具において、前記柱状部材の塗布面に接する部分の断面形状は、塗装面に対する垂線に関して対称であることを特徴とする塗装工具。
【請求項２】
前記柱状部材の塗布面に接する部分の断面の輪郭は、円弧であることを特徴とする、請求項１に記載の塗装工具。
【請求項３】
前記多孔質高分子材料は、発泡ウレタンであることを特徴とする、請求項１または２に記載の塗装工具。
【発明の詳細な説明】
【技術分野】
【０００１】
本発明はガラス等に光触媒塗料や機能塗料を塗る塗装工具（ウレタン・スクイジー）とその工法に関する。
【背景技術】
【０００２】
スポンジを装着したスクイジーはガラスクリーニング業界で洗剤の塗布と洗浄および水切りに使用しているが、液垂れするため塗料を塗装する工事には使用されていない。ガラスの屋内側に各種の機能塗料を塗装するスポンジバーがあるが、持つ部分がないため片手で操作することが出来ない。したがって、屋外の高所作業では片方の手で体を固定しなければ塗装することが出来ないため使用されていない。光触媒塗料や機能塗料を片手で容易に塗装できて、均一な塗膜を形成することが出来る安価な塗装工具と工法が求められている。
【先行技術文献】
【特許文献】
【０００３】
【特許文献１】特願平１０−１６７００１
【特許文献２】特願２００４−２７２９３
【特許文献３】特願２００４−２４７５６８
【発明の概要】
【発明が解決しようとする課題】
【０００４】
本発明は光触媒塗料や機能塗料をガラス等に片手で容易に塗装することが出来る安価な塗装工具（ウレタンス・クイジー）と工法に関する。
【課題を解決するための手段】
【０００５】
本発明は光触媒塗料や機能塗料を含浸する発泡ウレタンをコ型に加工したアルミニウムバーとスクイジーで固定した塗装工具（ウレタン・スクイジー）と、これをガラスに押し当て滲み出た塗料を片手で縦横に動かして容易に塗装する工法を提供しようとするものである。
【発明の効果】
【０００６】
本発明を使用すると円弧状にカットしたウレタンはガラスとの接触面が大きいため密着性が良く、光触媒塗料や各種の機能塗料を片手で容易に塗装することができ、均一な塗膜を形成することが出来る。
【図面の簡単な説明】
【０００７】
【図１】組み立て完成図
【図２】発泡ウレタンの断面図
【図３】アルミニウムバーの断面図
【図４】スクイジーの構成部材
【発明を実施するための形態】
【０００８】
図１は長さ３０センチメートルに切断しコ型に加工したアルミニウバー（３）に長さ３０センチメートルに切断した発泡ウレタン（２）を装着してスクイジーで挟みウレタン・スクイジー（１）を組み立てた図。                      
【０００９】
図２は発泡ウレタン（２）を１９×３１×１０００ｍｍの角柱状に裁断し、側面の端部を円弧状カットして両側面に切り込みを入れた断面図。              
【００１０】
発泡ウレタン（２）は密度５０〜７５ｋｇ/立方メートル、引っ張り強度１４０〜２００ＫＰa、伸び率２００％の物を使用した。
【００１１】
図３は長さ９０ｃｍで厚さ１．５ｍｍのアルミニウム板をコ型に曲げ加工をしたバーの先端の両側を５ミリメートル内側に９０度折り曲げ発泡ウレタンを固定するガイドとしたアルミニウムバー（３）の断面図。                                    
【００１２】
図４はスクイジー（４）、スプリング（５)、ツメ（６）、テーパーワッシャ（７）、ナット（８）、ボルト（９）からなるスクイジーの構成部材の図。
【実施例】
【００１３】
前記の発泡ウレタンに光触媒塗料を含浸させた後、ガラスに押し当てて、滲み出た塗料をウレタン・スクイジーで塗装した。                                      
【００１４】
本発明を使用して塗装した結果、透明な光触媒塗料の塗膜を形成することが出来た。
【符号の説明】
【００１５】
１  ウレタン・スクイジーの組み立て図
２  ウレタンの断面図
３  アルミニウムバーの断面図
４  スクイジー
５  スプリング
６  ツメ
７  テーパーワッシャ
８  ナット
９  ボルト
【図１】
2011156513.tif 000003
【図２】
2011156513.tif 000004
【図３】
2011156513.tif 000005
【図４】
2011156513.tif 000006
(57)【要約】【課題】「絡まる」「かさばる」「取りにくい」というハンガー利用後から利用までの「煩わしさ」を一挙に解決し、生活に不可欠な「家事の一部分」である「洗濯をする」「洗濯物を干す」際の精神的負担を減らす。【解決手段】ハンガーの一部又は全体を窪ませる（その反射的効果により出っ張らせる）ことにより、ハンガーＡにハンガーＢを収納、さらにハンガーＢにＣを、ＣにＤをといった具合に連続的な収納型とする。ハンガーとハンガーを収納しやすくさせる為、誘導場所を設ける。【選択図】図１
2011147642.tif 000002
【特許請求の範囲】
【請求項１】
広範囲を凹凸型とし製品自体を型枠のような形状としたハンガー。
【請求項２】
物干しにかけるフック部分の根元と洗濯物をかける肩の部分根元は洗濯物の襟の部分から出ているが、正面から見たときに、この部分に楕円形状の湾曲をつくり、上方部分の曲率と下方部分の曲率を異なるようにしたハンガー。そうすることでハンガーとハンガーが誘導しやすくなる。
【発明の詳細な説明】
【技術分野】
【０００１】
洗濯物を取り込む際、ハンガー同士が絡まりにくい収納型のため、使用の際にも絡まっていない取り出しし易いいハンガーの提供。
【背景技術】
【０００２】
これまでのハンガーは、使って一箇所に集めた時すでにかさばっており、取り出して利用する際にもハンガー同士が絡まり非常に使いづらいものであった。また絡まっているハンガーとハンガーを取り離すという煩わしさがあった。
これまでの技術背景として「ハンガー」の特許関連を調べてみると4000件以上に及ぶが、請求項で「かさばらない」は4件しかない。そのうち特開平８−１２６５６８「ダブルハンガー」を引用すると「パンツ等の乾きにくい部分を乾きやすく、空間利用に小物も干せ、下着を干しても人目を避けられ空洞を造り通気性が良く、厚地のトレーナー等の乾燥を早め、二段がけハンガーにもなる。」という洗濯物を乾き易くする機能面を述べ「したがって目隠しを不要とした着脱自在で収納に重ばらない（まま引用）」とある。これは「ＡとＢ」2個のハンガーを利用して機能性を高めた物であり、ＡとＢを連結させて機能的にしたが「連結したＡとＢ」は嵩張る（かさばる）ことなく収納できるという意味でしかない。だから、その背景技術でも「何」が「かさばる」のか引用すると「下着干しの目隠しは洗濯物とは別に覆う目隠し」が「収納にもかさばる欠点があった」とある。つまり連結したハンガーＡＢは嵩張らないが、別の連結したＣＤはハンガーＡＢと嵩張ることに解決を見出したものではない。
他の技術「竿キャッチ付洗濯小物干しハンガー（実登３１２０００４）」の発明の効果は「他のハンガー物干と同様に場所をとらずに干せるシンプルで美しい形である（実登３１２０００４−発明の効果より引用）」とあるが、ハンガー自体にでこぼこした洗濯バサミが付属しており、製品を2個以上重ねた場合、洗濯バサミ同士やその他の箇所が絡まる欠点があり、嵩張る原因である。
「フードつき衣服用補助ハンガー（実登３０９３８３２）」は「フード」と「ハンガー」が取り外せるため「かさばらない」のであり、ハンガーとハンガーは嵩張ってしまう。
「ビンチハンガー（実登３０９３７５８）」は小物干しであり今回の発明である「かさばらないハンガー」とはまったく別物である。以上が「嵩張らない」ことに関連した特許の背景である。
「かさばらないハンガー」の最後に紹介する技術は特開２００４−１８７９４９のハンガーがある。フックの凹凸部を利用して開閉して使い連結して収納できるものがあるが、フックを利用しないでもっとシンプルにまとめることが可能なハンガーはこれまでにない。
また「重ねる」をキーワードに調べてみた結果、一件だけ似ているように思われるハンガーを見つけた。特開２００８−１９４４４０の襟形状保持立体ハンガーであるが、襟部分に湾曲を利用した、襟分の形状保持性が一番の目的であり、重ねることができるが全体の形状を見ると複雑であり、ハンガーのフックがひっかかる場所が多く「洗濯ものを干す、取り込む」際の実用性が欠ける。特に襟部分の湾曲は重ねることが出来る唯一の場所ではあるが、ひっかかる場所の一つである。さらに、全体を薄くして、収納保管スペースを少なくしているが、薄くすることでハンガー全体が変形しやすくなるため、この製品のように、家で言うところの筋交いをいれなければならない羽目になる。結局この「筋交い」部がひっかかる原因の一つとなり、「洗濯を干す、取り込む」際のハンガー同士の絡み合いの可能性が増えることになる。であるから、本発明の効果とは全く別物である。
【先行技術文献】
【特許文献】
【０００３】
【特許文献１】実登３１２０００４
【特許文献２】実登３０９３８３２
【特許文献３】実登３０９３７５８
【非特許文献】
【０００４】
【非特許文献１】特開平８−１２６５６８
【非特許文献２】特開2008−１９４４４０
【発明の概要】
【発明が解決しようとする課題】
【０００５】
前述したように、「絡まる」「かさばる」「取りにくい」「煩わしい」という課題を当該発明にてすべて解決する。
【課題を解決するための手段】
【０００６】
ハンガーの全てもしくは、大部分を湾曲させ、ハンガーＡにハンガーＢを収納、さらにハンガーＢにＣを、ＣにＤをといった具合に連続的な収納型とする。また「肩部分」の付け根と「フック部分」の付け根に正面からみて円形、横から見て凹凸の広い空間を作ることでハンガーとハンガーの重ねるための基点となり収納への誘導が簡単となる。
【発明の効果】
【０００７】
たとえば洗濯物を取り込む時にハンガーを一つ置いてみる。そして置いた際に凸部が上にあるとする。その上から、次のハンガーを同じ向きにおくことで凹部が収まり、その後の繰り返しの動作でも、連続して凸の上に凹部が重なるという繰り返しができるためハンガーの連続収納ができる。  
【発明を実施するための最良の形態】
【０００８】
第一の実施例  ハンガーを置いたときに、そのハンガーの上に同形状をした別のハンガーを重ねる。
本実施例の効果
【０００９】
一つハンガーのフック部分が別のハンガーに引っかかることが無くなり、重ねて置けるため、取出しやすい。
【図面の簡単な説明】
【００１０】
【図１】Zの方向から見るとハンガーは空洞のような凹状に見え、Yの方向からみると凸状に見える。R1、R3とR2の曲率が異なる為、収納の際にAとBが誘導されやすくなり、ハンガー全体が収納型とした場合、ハンガーAとBがa部b部c部d部へと収納される。
【符号の説明】
【００１１】
１、R1、R2、R3は曲率を意味する。
２、ZとYは見る位置を意味する。
３、a〜dはそれぞれ収納される場所を意味する。
【図１】
2011147642.tif 000003
(57)【要約】【課題】少量の種子を手動で播種間隔、１箇所に撒く数量ともばらつきなく正確に撒くことができ、しかも撒く前に種子の状態を確認できて、播種機のすべての種子を残さず全部播くことができる播種機を提供する。【解決手段】この発明の播種機の形状はパイプ状であって、種子を納める内外筒のうち少なくとも内筒の上部を透明部材で構成して、播種前の種子を内筒の中を流して種配置穴に並べてその状態を目視確認でき、残りの播種待機状態の種子を種筒に戻して収納し、種子ゲートを回転させて種子の不用意なこぼれだしを防ぐことができるものである【選択図】図２
2011147383.tif 000002
【特許請求の範囲】
【請求項１】
円筒状で播種前の種配置穴に並んだ種の配置状態が見える播種機。
【請求項２】
請求項１の播種機において種配置穴の対面が拡大レンズ状の播種機。
【発明の詳細な説明】
【技術分野】
【０００１】
本発明は農園芸に使用する播種機に関するものである。
【背景技術】
【０００２】
従来の農業は大型機械による単一品種大規模栽培や水、肥料、日照、病害、防虫、播種、育苗、収穫、に関した大型機器による省力栽培と電力や燃料を使った設備による周年栽培、がよくなされている。
【０００３】
よって播種機の目的は農家が大量の種を播種間隔と量を正確に早く播くのが主な目的でほかには疲労の軽減や農機具との連動等、省力化による大規模栽培を主な目的としたものが多く見受けられる。
【０００４】
その結果従来の播種機は安定した播種をするために吸引方式、真空方式、回転式など動力源が必要なものが多く、絶えず必要量よりも多くの種を播種機に入れて圧力を加える必要もある。
【先行技術文献】
【特許文献】
【０００５】
【特許文献１】特開２００１−０６９８１５
【特許文献２】特開２００４−４９１５０
【発明の概要】
【発明が解決しようとする課題】
【０００６】
昨今の社会情勢は家庭菜園ブーム、野菜、果樹、樹木のオーナー制、レンタルガーデン、地方の農地を相続した都市住民の土日農業などにより１リットルの種をまく播種機より１０ｃｃの種を最後の１粒まで正確に播ける播種機、小型軽量で動力源が要らない安価な播種機が待たれている。
【０００７】
従来の農業は大型機械による単一品種大規模栽培、自動化機器や施設による省力栽培、電力や燃料を使った施設周年栽培等から近年は少量多品種栽培、放置栽培（旬のもののみ栽培する）、種を直播栽培（育苗しない）、混合栽培（乾燥や虫害対策）、収穫期間を長くする栽培、害虫用のオトリ作物の栽培等により農機具も小型軽量化している。
【０００８】
そのため従来播種機では少量の種は蒔けない、大量の残量が出る、すぐ落下する種の整列状態がわからない、配列を訂正することができない、等の問題点を解決することが望まれる。
【課題を解決するための手段】
【０００９】
課題を解決するためには多くの種を容器に入れて圧力を安定させる重力方法や吸引、真空等の方法があるが種が少ないと播種が著しく不安定になる。
【００１０】
本発明では今落ちる種と次以降に落ちる種を分けて今落ちる種の配列を見えるようにし配列が悪いと手直しをしてから播種することができる、播種後分けてあった種を配列し残りを分けて播種を続ける。
【００１１】
つまり今播種する種と次以降に播種する種を分けることにより今落ちる種を可視化することが可能となる、さらに落下する種の上部をレンズ上にするとさらに見やすくなる。
【００１２】
今播く種を可視化すると種の整列状態の確認と手直しができるため重力動力なしに正確に播種することができる。
【発明の効果】
【００１３】
重力や動力を使わない、小型で軽量、種が少量でも全部まける、落下前の種の状況が見える、種を播く前に手直しができる、などの利点がある。
【図面の簡単な説明】
【００１４】
【図１】図１は本発明の１実施例の分解部品図である。
【図２】図２は本発明の１実施例の動作状況図である。
【発明を実施するための形態】
【００１５】
少量の種を手動で間隔数量とも正確に全部播くことができる。
【実施例１】
【００１６】
本発明は図１が示すように原型は円形の筒であり楕円や方形でも可能である、５内筒の６種配置穴と７外筒の８種蒔穴は同じ間隔で８外筒種蒔穴は６内筒種配置穴より大き目にする。５内筒は播く種より少し大きめの６種配置穴で５内筒の厚さは種の大きさくらいがよい、５内筒の６種配置穴に種が正確に並んだのを確認するために５内筒７外筒の全部又は上の部分は透明又は可視化する、また６種配置穴の上部をレンズ状にするとさらに見やすくなる。複数の種を一箇の穴から播きたいときは６内筒種配置穴と８外筒種蒔穴を大きくする。
【００１７】
組み立て完成図は図２Ａで１グリップの付いた２種子筒に種子を収納し３種子ゲートを上に回して２種子筒を上に傾けて種を５内筒に流しだし６種子配置穴に落とし込む余った種は５内筒を反対に傾けて２種子筒に戻しグリップをまわして３種子ゲートを下に回して種の流出を止める６種配置穴に並んだ状態を確認しよくなければやり直しよければ播種する対象に合わせて７外筒を固定し１グリップを押し込んで６配置穴と８種蒔穴をあわせることにより種が落下して播種が完了する。
【００１８】
種子ゲートを上に回し同じ動作を繰り返すことにより播種域を広げる。
【産業上の利用可能性】
【００１９】
家庭菜園や多品種少量栽培農家やレンタルガーデンなどで広く使われるものである、またポット苗のポット等に播種するのにも応用できる。
【符号の説明】
【００２０】
１  グリップ
２  種筒
３  種子ゲート
４  ガイド
５  内筒
６  種配置穴
７  外筒
８  種蒔穴
９  バネ
Ａ  播種前の状態
Ｂ  播種時の状態
【図１】
2011147383.tif 000003
【図２】
2011147383.tif 000004